(57)【要約】      （修正有）【課題】パチンコ遊技機用化粧板における裏面側から光を入射させることで、通常の光の下では視認されない文字や絵柄等を表示させ、遊技者の興趣を向上させるパチンコ遊技機用化粧板を提供する。【解決手段】パチンコ遊技機用化粧板１は、第１表示部９が形成されている第１印刷層４、隠蔽層５、第２表示部１０が形成されている第２印刷層６を順に積層させてなる化粧シート３を有するとともに、化粧シート３の一方面側に基板２を積層させ、第１印刷層４の裏面側から光を照射したときのみ、第１表示部９を視認可能とさせる隠蔽層５により構成される。【選択図】図１
0003226480.tif 000002
【実用新案登録請求の範囲】
【請求項１】
第１表示部が形成されている第１印刷層、隠蔽層、第２表示部が形成されている第２印刷層が順に積層されてなる化粧シートを有し、前記化粧シートの一方面側に基板が積層されており、前記隠蔽層は、前記第１印刷層の裏面側から光を照射したときのみ、前記第１表示部が視認可能となるように構成されていることを特徴とするパチンコ遊技機用化粧板。
【請求項２】
前記隠蔽層は、通常の光の下での遮光率が５０％以上９９％以下となる請求項１記載のパチンコ遊技機用化粧板。
【請求項３】
前記第１表示部と前記第２表示部が相互に重複する状態で視認されるように、前記第１表示部と前記第２表示部を配置形成してなる請求項１又は２記載のパチンコ遊技機用化粧板。
【請求項４】
前記第１表示部と前記第２表示部が相互に重複しない状態で視認されるように、前記第１表示部と前記第２表示部を配置形成してなる請求項１又は２記載のパチンコ遊技機用化粧板。
【請求項５】
前記基板は、前記化粧シートの裏面側に配置形成してなる請求項１から４いずれか１項に記載のパチンコ遊技機用化粧板。
【請求項６】
前記基板は、前記化粧シートの表面側に配置形成してなる請求項１から４いずれか１項に記載のパチンコ遊技機用化粧板。
【考案の詳細な説明】
【技術分野】
【０００１】
本考案は、遊技機に取付固定されて使用されるパチンコ遊技機用化粧板に関する。
【背景技術】
【０００２】
従来から、遊技者の遊技に供するパチンコ遊技機が知られている。パチンコ遊技機は、一般的に外枠や中枠といった各種の枠状部材を備えており、これら枠状部材に対して遊技板と呼ばれる板状の部材が取付固定されている。遊技板は、パチンコ遊技機用化粧板とも呼ばれており、遊技者のパチンコ遊技機に対する興味を惹起させるため、ベースとなる基板に対し、各種の絵柄等を描いたフィルムなどを貼り付けて製造されている。
【０００３】
パチンコ遊技機用化粧板を構成する基板にはベニヤ板を用いることが多いが、近年、基板に透光性を有する樹脂材料を用いることが多くなっている。
【先行技術文献】
【特許文献】
【０００４】
【特許文献１】特開２０１１−６２２３７号公開
【考案の概要】
【考案が解決しようとする課題】
【０００５】
従来のパチンコ遊技機用化粧板においては、絵柄の表示の仕方が単調であるという問題があった。例えば、上記特許文献１に示されているパチンコ遊技機用化粧板は、絵柄の表示が固定的であり、変化に乏しいものであった。このように従来のパチンコ遊技機用化粧板においては、絵柄の表示が単調であり、遊技者の興趣を向上させることができず、その改善が望まれていた。上記の点に鑑み、遊技者の興趣を向上させるパチンコ遊技機用化粧板を提供することを目的とする。
【課題を解決するための手段】
【０００６】
本考案は、
（１）第１表示部が形成されている第１印刷層、隠蔽層、第２表示部が形成されている第２印刷層が順に積層されてなる化粧シートを有し、前記化粧シートの一方面側に基板が積層されており、前記隠蔽層は、前記第１印刷層の裏面側から光を照射したときのみ、前記第１表示部が視認可能となるように構成されていることを特徴とするパチンコ遊技機用化粧板、
（２）前記隠蔽層は、通常の光の下での遮光率が５０％以上９９％以下となる上記（１）記載のパチンコ遊技機用化粧板、
（３）前記第１表示部と前記第２表示部が相互に重複する状態で視認されるように、前記第１表示部と前記第２表示部を配置形成してなる上記（１）又は（２）記載のパチンコ遊技機用化粧板、
（４）前記第１表示部と前記第２表示部が相互に重複しない状態で視認されるように、前記第１表示部と前記第２表示部を配置形成してなる上記（１）又は（２）記載のパチンコ遊技機用化粧板、
（５）前記基板は、前記化粧シートの裏面側に配置形成してなる上記（１）から（４）いずれか１項に記載のパチンコ遊技機用化粧板、
（６）前記基板は、前記化粧シートの表面側に配置形成してなる上記（１）から（４）いずれか１項に記載のパチンコ遊技機用化粧板を要旨とする。
【考案の効果】
【０００７】
本考案に係るパチンコ遊技機用化粧板は、隠蔽層の裏面に第１印刷層を有しており、当該隠蔽層は、前記第１印刷層の裏面側から光を照射したときのみ、前記第１表示部が視認可能となるように構成されているので、通常の光の下では視認されない文字や絵柄等を表示させることができ、表示による演出を変化に富んだものにすることができる。それにより、遊技者の興趣を向上させることを可能にする。
【図面の簡単な説明】
【０００８】
【図１】本考案に係るパチンコ遊技機用化粧板の第１の実施形態の例を表す断面図である。
【図２】（ａ）図は、通常の光の下における本考案に係るパチンコ遊技機用化粧板の作用効果を説明するための説明図であり、（ｂ）図は、第１印刷層の裏面側から照明体を点灯させて光を入射した際の本考案に係るパチンコ遊技機用化粧板の作用効果を説明するための説明図である。
【図３】（ａ）図は、本考案に係るパチンコ遊技機用化粧板の第１の実施形態における第２印刷層の正面図であり、（ｂ）図は、本考案に係るパチンコ遊技機用化粧板の第１の実施形態における第１印刷層の正面図であり、（ｃ）図は、本考案に係るパチンコ遊技機用化粧板の第１の実施形態における通常の光の下でのパチンコ遊技機用化粧板の表面側の正面図であり、（ｄ）図は、本考案に係るパチンコ遊技機用化粧板の第１の実施形態における第１印刷層の裏面側から照明体を点灯させて光を入射させた際に、パチンコ遊技機用化粧板の表面側の正面図である。
【図４】本考案に係るパチンコ遊技機用化粧板の第２の実施形態を表す断面図である。
【図５】本考案に係るパチンコ遊技機用化粧板の第３の実施形態を表す断面図である。
【図６】本考案に係るパチンコ遊技機用化粧板の第４の実施形態を表す断面図である。
【考案を実施するための形態】
【０００９】
本考案に係るパチンコ遊技機用化粧板は、第１印刷層と隠蔽層と第２印刷層とからなる化粧シートを基板に積層させるように構成されている。なお、本考案における表面とは遊技者と対面している側の面を意味し、裏面とは表面の反対面を意味するものである。具体的に、パチンコ遊技機用化粧板の表面とは、本考案におけるパチンコ遊技機用化粧板がパチンコ遊技機に取付固定され、遊技者が遊技をしているときに遊技者に対面している面であり、パチンコ遊技機用化粧板の裏面とは、パチンコ遊技機用化粧板の表面に対する最外層となる反対面を意味するものである。
【００１０】
本考案における第１印刷層、第２印刷層には、それぞれ第１表示部、第２表示部が形成されており、この表示部としては、文字、数字、絵柄（図形、模様等）等が挙げられ、これらを着色し色彩を有するものを含む。上記文字とは、例えば、ひらがな表記、カタカナ表記、漢字表記、アルファベット表記等で表示されるものであり、上記模様とは、背景を表現するような色彩模様を含むものである。
【００１１】
［第１の実施形態］
本考案に係るパチンコ遊技機用化粧板の第１の実施形態を以下において具体的に説明する。図１は、本考案に係るパチンコ遊技機用化粧板の実施形態を示す断面図であり、パチンコ遊技機用化粧板１は、第１表示部９が形成されている第１印刷層４、隠蔽層５、第２表示部１０が形成されている第２印刷層６を順に積層されてなる化粧シート３を有すとともに、化粧シート３の一方面側である裏面側には基板２が積層され、隠蔽層５は、第１印刷層４の裏面側から光を照射したときのみ、第１表示部９が視認可能となるように構成されている。隠蔽層５は、例えば、通常の光の下での遮光率が５０％以上９９％以下となるように構成されていることが好ましい。
パチンコ遊技機用化粧板１において、第２印刷層６は、遊技者と対面する面に配置されることで、パチンコ遊技機用化粧板１の表面を形成している。また、パチンコ遊技機用化粧板１は、パチンコ遊技機が通常の演出を行う場合、パチンコ遊技機用化粧板１の表面側、即ち第２印刷層６の表面側から通常の光が入射されるように設定され、パチンコ遊技機が特殊な演出を行う場合には、パチンコ遊技機用化粧板１の裏面側、即ち第１印刷層４の裏面側に配置されている照明体８（図２（ｂ）参照）から通常の光より高い照度の光が入射されるように設定されている。なお、上記の通常の光とは、建物の室内等に設置させている照明装置から照射される光であればよい。また、照明体８による光とは、パチンコ遊技機内で第１印刷層４の裏面側の後方に設置され、上記の通常の光より高い照度による光であればよく、例えば、第１印刷層４の裏面側の後方に８００〜２０００ｌｘの照明を設置し、生ずる光であればよいものとする。
【００１２】
図２（ａ）は、照明体８を消灯させ、パチンコ遊技機用化粧板１の表面側から通常の光を入射させた際にパチンコ遊技機用化粧板１における光の推移を説明する説明図である。パチンコ遊技機用化粧板１は、パチンコ遊技機用化粧板１の表面側から第２印刷層６に通常の光による入射光Ａ１が入射され、隠蔽層５に入射される。隠蔽層５に入射された入射光Ａ１は、隠蔽層５により遮光されるので、第１印刷層４に入射される光は少なく、隠蔽層５に入射した大半の光は、隠蔽層５で反射され、反射光Ａ３として第２印刷層６に入射される。その後、第２印刷層６に入射された光Ａ３は、第２印刷層６に形成されている第２表示部１０を透過して第２印刷層６の表面側に出射される。つまり、パチンコ遊技機が通常の演出を行う場合、第２印刷層６に入射した光Ａ１は、その大半の光が隠蔽層５で遮光され第２印刷層６に反射光Ａ３として反射されるので、第１表示部９は、表示されず、第２表示部１０だけをパチンコ遊技機用化粧板１の表面側に表示させることを可能にする。
【００１３】
図２（ｂ）は、照明体８を点灯させ、パチンコ遊技機用化粧板１の表面側から入射されている光Ａ１よりも照度の高い光Ａ４を照明体８から第１印刷層４の裏面側に入射させた際の光の推移を説明する説明図である。図２（ｂ）では、照明体８から第１印刷層４の裏面側から入射された光Ａ４は、基板２を経て第１印刷層４に入射された後、隠蔽層５と第２印刷層６を経てパチンコ遊技機用化粧板１の表面側に出射光Ａ５として出射されることを示している。また、図２（ｂ）では、図２（ａ）で説明したのと同様に、パチンコ遊技機用化粧板１の表面側に通常の光による入射光Ａ１を入射させ、入射光Ａ１は、第２印刷層６を経て隠蔽層５に入射された後、隠蔽層５で遮光され、パチンコ遊技機用化粧板１の表面側に出射光Ａ３として出射されることも示している。それにより、パチンコ遊技機用化粧板１は、第１印刷層４に形成されている第１表示部９と第２印刷層６に形成されている第２表示部１０とをパチンコ遊技機用化粧板１の表面側に表示することを可能にする。つまり、パチンコ遊技機用化粧板１は、第１印刷層４の裏面側から光を入射させることで、通常の光の下では視認されない文字や絵柄等を表示させ、演出を変化に富んだものとし、遊技者の興趣を向上させることを可能にする。
【００１４】
図３（ａ）は、第２印刷層６の正面図であり、第２印刷層６に形成されている第２表示部１０が示されている。図３（ｂ）は、第１印刷層４の正面図であり、第１印刷層４に形成されている第１表示部９が示されている。図３（ｃ）は、通常の光の下、パチンコ遊技機用化粧板１の表面側から光が入射した際、パチンコ遊技機用化粧板１の表面側から見たパチンコ遊技機用化粧板１の正面図である。図２（ａ）を用いて上述した通り、パチンコ遊技機用化粧板１の表面側から第２印刷層６に入射した通常の光は、隠蔽層５に入射した後、隠蔽層５で遮光され、第２印刷層６を経てパチンコ遊技機用化粧板１の表面側に出射される。それにより、図３（ｃ）では、パチンコ遊技機用化粧板１の表面側において第２表示部１０を視認することができることを示している。図３（ｄ）は、照明体８を点灯させ、通常の光より照度の高い光を第１印刷層４の裏面側から光を入射させた際の、パチンコ遊技機用化粧板１の正面図である。図２（ｂ）を用いて上述した通り、パチンコ遊技機用化粧板１は、第１印刷層４の裏面側から照明体８により照射され、且つ表面側から通常の光の下で光が入射されることから、パチンコ遊技機用化粧板１の表面側において、第１表示部９と第２表示部１０を視認できることを示している。
【００１５】
図１で示すように、基板２は、板状に形成されパチンコ遊技機用化粧板１のベースとなる部材である。基板２を形成する材料としては、木製のもの、又は合成樹脂材料等を用いることができる。具体的に、木製のものとしては、木板、木製合板、合成木材板、合成木材合板等、反り等の少ないベニヤ板等の合板状に形成されたものが好ましい。また、合成樹脂材料としては、透光性を有していても透光性を有していないものでもよく、例えば、ポリカーボネート樹脂、ポリアクリル酸メチル、ポリメタクリル酸メチル、アクリル酸メチル・スチレン共重合体、メタアクリル酸メチル・スチレン共重合体等のアクリル系樹脂、ポリスチレン系樹脂等が挙げられる。透光性を有していない合成樹脂材料としては、着色されたものでも良いし、リサイクルされたものでもよい。また、基板２において軽量化を求める場合には、合成樹脂発泡体を使用することも可能である。この場合には、機械的強度等の観点から低発泡倍率のものが好ましい。なお、基板２を形成する材料としては、上記したものに限定されず、これら以外のものを任意に選択して適宜用いてよい。基板２の厚みとしては、木製の素材によるもの、合成樹脂材料を素材にするもの共に１０〜２５ｍｍのものを用いるのが好ましく、１０〜２０ｍｍのものを用いることがより好ましい。この範囲の厚さのものを用いることで、軽量かつ機械的強度を有する基板２とすることができる。
基板２において木製等で実質的に光を通さない素材又は、透光性を有さない合成樹脂材料で実質的に光を通しにくい素材を用いる場合、基板２には貫通孔７を形成してもよいし、光が通るように表面まで薄くくり抜き加工をしてもよい。合成樹脂材料を用いて基板２を製造する場合には、射出成形により基板２を成形することが好ましい。また、基板２は、透光性を有する合成樹脂材料を用いる場合、貫通孔７を形成することなく、照明体８（図２（ｂ）参照）により入射された光を、第１印刷層４の全面に入射させることができるので、より多様な絵柄表現を行うことが可能となり好ましい。
【００１６】
第１印刷層４は、基板２の表面、又は隠蔽層５の裏面のいずれか又は両面に印刷形成することができる。また、第２印刷層６は、隠蔽層５の表面に印刷形成することができる。上記の印刷形成は、オフセット印刷やシルク印刷等を施すことで形成されるのが好ましく、印刷形成による第１印刷層４、第２印刷層６の厚みとしては、共に１．０〜５０．０μｍとすることが好ましい。それにより、第１表示部９や第２表示部１０を基板２に対し全面又は部分的に第１表示部９、第２表示部１０をそれぞれ形成させることができ、生産性が高く、多様な絵柄表現をすることを可能にする。なお、第１印刷層４と第２印刷層６について、上記したものには、限定されず、第１印刷層４と第２印刷層６は、透明セルやシート材等に第１表示部９、第２表示部１０をオフセット印刷やシルク印刷等で施すことで形成されてもよい。第１印刷層４を基板２と隠蔽層５との間に積層し、第２印刷層６を、隠蔽層５の表面に積層し、それぞれ各層間に接着層を介すことで、接合してもよい。第１印刷層４、第２印刷層６共に、フィルム含めた全体の厚さとしては、１００〜４００μｍとすることが好ましい。また、第１印刷層４と第２印刷層６は、基板２に対し略同一の大きさで全面に形成してもよいし、部分的に形成してもよい。また、第１印刷層４と第２印刷層６は、透明セルやシート材等の表面又は裏面のどちらか一方面側に第１表示部９や第２表示部１０をそれぞれ備えてもよいし、透明セルやシート材等の表面と裏面の両面に第１表示部９や第２表示部１０をそれぞれ備えてもよい。
【００１７】
透明セルやシート材等に、第１表示部９や第２表示部１０をそれぞれ印刷形成することで、第１印刷層４及び第２印刷層６を構成する場合、その一方面のみに、第１表示部９や第２表示部１０を備えることが好ましい。このようにすることで他方の面は、第１表示部９や第２表示部１０を有さない平滑面とすることができる。それにより、第１印刷層４、第２印刷層６は、光の乱反射を少なくし、光の透光性が高い面を有することができる。その結果、第１表示部９や第２表示部１０は、絵柄等を明確に表示させ、鮮明な絵柄表現をすることを可能にする。
【００１８】
また、第１印刷層４と第２印刷層６は、透明セルやシート材等の表面と裏面の両面において、第１表示部９や第２表示部１０をそれぞれ備えてもよい。このようにすることで第１印刷層４や第２印刷層６の表面と裏面に、より多く第１表示部９や第２表示部１０をそれぞれ備えることができ、多様な絵柄表現をすることを可能にする。
【００１９】
第１印刷層４と第２印刷層６で用いられる透明セルやシート材等の素材としては、ポリカーボネート樹脂、ポリアクリル酸メチル、ポリメタクリル酸メチル、アクリル酸メチル・スチレン共重合体、メタアクリル酸メチル・スチレン共重合体等のアクリル系樹脂、ポリアミド系樹脂、ポリスチレン系樹脂、ＡＢＳ樹脂、ポリエチレンテレフタレート樹脂（ＰＥＴ樹脂）、キャブロイド（ＣＡＢ）、セルロース系樹脂、ポリプロピレン、ポリ塩化ビニル等が例示され、これらの中でもポリエチレンテレフタレート樹脂（ＰＥＴ樹脂又はキャブロイド（ＣＡＢ））を用いることが好ましい。なお、透明セルやシート材等の素材を形成する材料は、上記したものに限定されず、これら以外のものを任意に選択して適宜用いてよい。
また、第１印刷層４や第２印刷層６は、単層だけでなく、複数の層から構成してもよい。
【００２０】
第１印刷層４における第１表示部９、第２印刷層６における第２表示部１０をそれぞれ形成するためにオフセット印刷を行う場合、使用するオフセットインクとしては、ベヒクルに顔料、染料等の着色剤及び必要に応じて、つや消し剤、安定剤、可塑剤、触媒、硬化剤等を添加してなる組成物を用いることができる。ベヒクルとしては、ロジン、セルロース誘導体、塩化ゴム、フェノール樹脂、アルキッド樹脂、ポリアミド樹脂、乾性油又は半乾性油等の植物油脂、溶剤等が挙げられ、これに着色剤、添加剤等を加えてオフセット印刷絵柄層に用いるオフセットインクが得られる。
【００２１】
インクに用いる着色剤となる顔料又は染料としては、有機顔料とカーボンブラックが主に用いられ、無機顔料としては、白色顔料としてチタンホワイト、亜鉛華、三酸化アンチモン等が挙げられる。また、体質顔料として用いられる炭酸カルシウム、カオリン、硫酸バリウム、水酸化アルミニウム等も用いることができる。また、つや消し剤としては、つや消し塗料として用いられる炭酸マグネシウム、タルク、カオリン、珪酸マグネシウム、ステアリン酸亜鉛、１パルミチン酸アルミニウム等が挙げられる。
【００２２】
また、紫外線の照射により硬化する樹脂に各種顔料を加えたＵＶインクをオフセットインクに用いてもよい。ＵＶインクとして用いることができる樹脂材料としては、重合性不飽和結合やエポキシ基を有する樹脂等が用いられ、ポリエステル樹脂、エポキシ樹脂、ウレタンアクリレート樹脂及びこれらの樹脂のオリゴマー、プレポリマー又はこれらにモノマーを加えたもの等が挙げられる。樹脂としては、上記オリゴマー、プレポリマーにモノマーを加えたものであってもよい。これらの樹脂には硬化を促進する目的で重合開始剤を添加するのが好ましい。該重合開始剤としては、アセチルフェノン類等が挙げられる。また、顔料としては、有機顔料、カーボンブラック、無機顔料（チタンホワイト等）、体質顔料（つや消し顔料、炭酸カルシウム等）等から求める色相に応じて選択し、組み合わせて用いることができる。この場合、紫外線照射には、高圧水銀灯、メタルハライドランプ等が用いられ、紫外線を０．５〜５秒程度照射して塗工膜を硬化させる。塗工から硬化までの工程は、連続して行われるのが好ましい。
【００２３】
第１印刷層４と第２印刷層６においてシルク印刷を行う場合、シルク印刷に用いるインクとしては、ベヒクルに染料、顔料等の着色剤を加え、必要に応じて安定剤、硬化剤等を適宜混合して得られるインクを用いてもよいし、紫外線の照射により硬化する樹脂に各種顔料を加えたＵＶインクをシルク印刷インクに用いてもよい。また、シルク印刷で多色刷りを行うときは、必要な色のインクを重ね刷りすることで色彩に富んだ第１表示部９及び第２表示部１０を形成することを可能にする。
【００２４】
隠蔽層５は、隠蔽層５の表面又は裏面に入射した光を遮光するという機能を有している。
ここでいう遮光とは、入射した光を反射するものでも良いし、入射した光を減衰するものでもよく、反射及び減衰するものでもよい。
【００２５】
隠蔽層５は、第１印刷層４の表面側と、第２印刷層６の裏面側との間に設けられている。これにより、隠蔽層５は、照明体８を消灯させている場合、隠蔽層５の裏面に配置されている第１表示部９を隠蔽することができるとともに、照明体８を点灯させ、通常の光より照度の高い光を第１印刷層４の裏面側から入射させることで、入射した光をパチンコ遊技機用化粧板１の表面まで透過させることを可能にする。その結果、パチンコ遊技機用化粧板１は、絵柄の表示の仕方が単調なものではなく、バラエティに富んだ絵柄表現をすることができる。
【００２６】
隠蔽層５における遮光率は、特に限定されないがパチンコ遊技機が通常の演出を行う場合、通常の光の下において５０％以上９９％以下が好ましい。遮光率を上記範囲とすることで、通常の光の下でパチンコ遊技機用化粧板１の表面側から入射される通常の光を遮光することができる。それにより、パチンコ遊技機用化粧板１の表面側から第２印刷層６を経由して隠蔽層５に入射した大半の光は、隠蔽層５で遮光され、第１表示部９を隠蔽することを可能にする。また、パチンコ遊技機が特殊な演出を行う場合、通常の光より照度の高い光を照明体８から照射されるように設定することで、隠蔽層５は、第１印刷層４を経て隠蔽層５に入射した光を遮光しきれずに透過させ、隠蔽層５の表面側に積層されている第２印刷層６に入射させることを可能にする。
【００２７】
隠蔽層５は、第１印刷層４の表面に、又は第２印刷層６の裏面にシルク印刷、オフセット印刷又はロールコータによる塗布等のような印刷方法によって設けられるのが好ましい。また、隠蔽層５に用いられるインクとしては、ベヒクルに白色染料又は白色無機顔料、添加剤等を加えたものが挙げられる。なお、白色色素を含むインクには、蛍光性を有する染料、顔料が含まれていてもよい。ベヒクルとしては、ロジン、セルローズ誘導体、塩化ゴム、フェノール樹脂、アルキド樹脂、ポリアミド樹脂、乾性油又は半乾性油等の植物油脂、溶剤等が挙げられる。白色無機顔料としては、チタンホワイト、亜鉛華、三酸化アンチモン等が挙げられる。また、隠蔽層５には、紫外線の照射により硬化する樹脂に各種顔料を加えたＵＶインクを用いてもよい。また、隠蔽層５の遮光率を５０％以上９９％以下とするには、上記のインクを使用し、隠蔽層５の厚さを１０．０〜５０．０μｍとすることが好ましい。また、隠蔽層５には、紙やフィルム樹脂、金属薄膜層やミラーインクなどの不透明な素材を使用しても良い。
【００２８】
隠蔽層５は、上記したものに、限定されず、透明セルやシート材等にシルク印刷、オフセット印刷又はロールコータによる塗布等のような印刷方法によって設けられるものでもよい。隠蔽層５は、第１表示部９を隠蔽するように積層するのであれば、第１印刷層４と略同一の大きさに形成し、第１印刷層４を全面的に隠蔽するように積層してもよい。それにより、より多くの第１表示部９を隠蔽することができ、パチンコ遊技機の演出において通常の演出から特殊な演出に切り替わった際に遊技者に強い印象を与えるような絵柄表現をすることができ、遊技者の興趣を向上させることができる。また、隠蔽層５は、第１表示部９を隠蔽するのに十分な大きさであれば、基板２や第１印刷層４に対し部分的に隠蔽するように積層してもよい。それにより、隠蔽層５は、特定の絵柄を表示、非表示とすることができ、多様な絵柄表現を効果的に行うことを可能にする。
【００２９】
接着層は、基板２、化粧シート３を構成する第１印刷層４、隠蔽層５、第２印刷層６の間に設けられてもよく、接着層を各層の間に設けることで各層を接合することができる。
接着層は、シルク印刷、オフセット印刷又はロールコータによる塗布等により形成してもよいし、上記した以外の方法であってもよい。接着層は、厚みが１０〜２００μｍであることが好ましく、１５〜２０μｍであることがより好ましい。また、接着層に用いられる接着剤は、耐熱性を有しているものが用いられており、好ましくは６０℃において劣化しないもの、より好ましくは８０℃において劣化しないものが用いられる。例えば、接着層に用いられる接着剤としては、ポリベンズイミダゾール系、ポリアミドイミド系、ポリイミド系、アクリル系、エポキシ系、シリコン系接着剤が挙げられる。また、接着層に使用される接着剤としては、加熱することにより接着するもの、加圧することにより接着するもの、加熱及び加圧することにより接着するものであることが好ましい。
【００３０】
ここで、本実施形態に係るパチンコ遊技機用化粧板１の作用効果を説明する。本実施形態に係るパチンコ遊技機用化粧板１は、第１表示部９が形成されている第１印刷層４、隠蔽層５、第２表示部１０が形成されている第２印刷層６が順に積層されてなる化粧シート３を有し、化粧シート３の一方面側である裏面側に基板２が積層されており、隠蔽層５は、第１印刷層４の裏面側から光を照射したときのみ、第１表示部９が視認可能となるように構成されている。
【００３１】
また、パチンコ遊技機用化粧板１における隠蔽層５は、通常の光の下での遮光率が５０％以上９９％以下となるように構成されるのが好ましい。それにより、本実施形態に係るパチンコ遊技機用化粧板１は、通常の光の下においては第１表示部９を表示することなく、第２表示部１０のみを第２印刷層６の表面側に表示させるとともに、第１印刷層４の裏面側から照明体８により通常の光より照度の高い光を入射させた際には、通常の光の下において視認することができる文字や絵柄等を表示させるとともに通常の光の下では視認することができない文字や絵柄等についても表示させ、パチンコ遊技機用化粧板１における演出を変化に富んだものにすることができる。それにより、パチンコ遊技機用化粧板１は、複数からなる絵柄表現をすることができ、遊技者の興趣を向上させることを可能にする。  また、化粧シート３の一方面側である裏面側に基板２が積層されていることから、遊技者に対し、第１表示部９や第２表示部１０の視認を妨げるものが配置されておらず、第１表示部９、第２表示部１０を明確に視認させることを可能にする。
【００３２】
また、上述するパチンコ遊技機用化粧板１の第２印刷層６の表面側には適宜図示省略する保護層を設けてもよい。保護層は、化粧シート３の表面又は裏面を保護するためのものであり、化粧シート３の表面又は裏面、即ち第１印刷層４の裏面、第２印刷層６の表面に積層することができる。また、保護層は、保護層として使用することができるインクであるハードコート塗料を印刷等によりを施すこと、又は保護層の素材となるポリエチレンテレフタレート（ＰＥＴ）、セルロースアセテートブチレート（ＣＡＢ）,ポリカーボネート（ＰＣ）、アクリル、ポリプロピレン（ＰＰ）などにより形成された保護フィルムを積層することによって形成されることが好ましい。保護層は、第１印刷層４又は第２印刷層６に対し、外部から加わる衝撃等から保護することができる硬度を有することが好ましい。具体的には、保護層は、ＨＢ〜３Ｈの範囲内の鉛筆硬度であることが好ましく、Ｈ〜２Ｈの範囲内の鉛筆硬度であることがより好ましい。保護層の硬度を上記した範囲内とすることにより、第１印刷層４又は第２印刷層６に対し、外部から加わる衝撃等から確実に保護することを可能にする。
【００３３】
また、保護層は、厚さが１０μｍ〜３００μｍとなるように形成することが好ましく、２０μｍ〜２５０μｍとなるように形成することがより好ましい。また、基板２において、入射光が通るようにくり抜かれている場合には、保護層の厚さが０．３ｍｍ〜２．０ｍｍとなるように形成することが好ましく、０．４ｍｍ〜１．０ｍｍとなるように形成することがより好ましい。なお、保護層を上記した範囲内の厚さにすることで、上記した範囲内の鉛筆硬度を有する保護層を安価に形成しやすくすることが可能となる。また、保護層は、第１印刷層４又は第２印刷層６を覆うように積層することで、第１表示部９又は、第２表示部１０の表面を押圧することを可能にする。それにより、第１表示部９、第２表示部１０の表面に形成されている凹凸形状を平滑にすることができ、第１印刷層４、第２印刷層６を透過する光の乱反射を防止し、第１印刷層４、第２印刷層６における光の透過性を向上することができる。それにより、パチンコ遊技機用化粧板１は、より鮮明な絵柄を表示することを可能にする。
【００３４】
[第２の実施形態]
次に、本考案に係るパチンコ遊技機用化粧板の第２の実施形態を図４に基づいて説明する。図４は、本考案に係るパチンコ遊技機用化粧板の第２の実施形態の例を示す断面図である。なお、第２の実施形態に係るパチンコ遊技機用化粧板の構成に関して、先に説明したのと同様のものについては、同一の符号を付し、説明を省略する。
【００３５】
本第２の実施形態に係るパチンコ遊技機用化粧板２１は、第１表示部９が形成されている第１印刷層４、隠蔽層５、第２表示部１０が形成されている第２印刷層６が順に積層されてなる化粧シート３を有し、化粧シート３の一方面側である裏面側に基板２が積層されており、隠蔽層５は、第１印刷層４の裏面側から光を照射したときのみ、第１表示部９が視認可能となるように構成されている。
また、パチンコ遊技機用化粧板２１は、第１表示部９と第２表示部１０が、相互に重複する状態で視認されるように、配置形成されていることを特徴とするものである。
【００３６】
本実施形態に係るパチンコ遊技機用化粧板２１によれば、先に説明したパチンコ遊技機用化粧板１の作用効果に加えて、第１表示部９と第２表示部１０が図４の紙面上下方向において、相互に重複する状態で視認されるように、配置形成されている。そのため、パチンコ遊技機が特殊な演出を行う場合、照明体８を点灯させ、通常の光より照度の高い光を第１印刷層４の裏面側から入射させた場合、第１印刷層４を経て隠蔽層５に入射した光は、隠蔽層５では遮光しきれずに、大半の光が第２印刷層６に入射される。その際、第１印刷層４の第１表示部９に透過した光と第２印刷層６の第２表示部１０に透過した光は、それぞれ、第２印刷層６の表面側に出射されることから、第１表示部９と第２表示部１０が相互に重複している部分においては、第１表示部９と第２表示部１０を重ねて表示することができ、複雑で深みのある絵柄等を表示させることができる。
【００３７】
[第３の実施形態]
次に、本考案に係るパチンコ遊技機用化粧板の第３の実施形態を図５に基づいて説明する。図５は、本考案に係るパチンコ遊技機用化粧板の第３の実施形態の例を示す断面図である。なお、第３の実施形態に係るパチンコ遊技機用化粧板の構成に関して、先に説明したのと同様のものについては、同一の符号を付し、説明を省略する。
【００３８】
本第３の実施形態に係るパチンコ遊技機用化粧板３１は、第１表示部９が形成されている第１印刷層４、隠蔽層５、第２表示部１０が形成されている第２印刷層６が順に積層されてなる化粧シート３を有し、化粧シート３の一方面側である裏面側に基板２が積層されており、隠蔽層５は、第１印刷層４の裏面側から光を照射したときのみ、第１表示部９が視認可能となるように構成されている。
また、パチンコ遊技機用化粧板３１は、第１表示部９と第２表示部１０が相互に重複しない状態で視認されるように、第１表示部９と第２表示部１０を配置形成してなることを特徴とするものである。
【００３９】
本実施形態に係るパチンコ遊技機用化粧板３１によれば、先に説明したパチンコ遊技機用化粧板１の作用効果に加えて、第１表示部９及び第２表示部１０は、図５の紙面上下方向において相互に重複しない状態で視認されるように、第１表示部９と第２表示部１０を配置形成してなることから、第１表示部９に透過した光と第２表示部１０に透過した光は、それぞれ、第２印刷層６の表面側に出射されることから、第１表示部９と第２表示部１０の間において遠近感があり奥行のある絵柄表現をすることを可能にする。
【００４０】
[第４の実施形態]
次に、本考案に係るパチンコ遊技機用化粧板の第４の実施形態を図６に基づいて説明する。図６は、本考案に係るパチンコ遊技機用化粧板の第４の実施形態の例を示す断面図である。なお、第４の実施形態に係るパチンコ遊技機用化粧板の構成に関して、先に説明したのと同様のものについては、同一の符号を付し、説明を省略する。
【００４１】
本第４の実施形態に係るパチンコ遊技機用化粧板４１は、第１表示部９が形成されている第１印刷層４、隠蔽層５、第２表示部１０が形成されている第２印刷層６が順に積層されてなる化粧シート３を有し、隠蔽層５は、第１印刷層４の裏面側から光を照射したときのみ、第１表示部９が視認可能となるように構成されている。
また、パチンコ遊技機用化粧板４１は、基板２を化粧シート３の一方面側である表面側に配置形成してなることを特徴とするものである。
【００４２】
本実施形態に係るパチンコ遊技機用化粧板４１によれば、先に説明したパチンコ遊技機用化粧板１の作用効果に加えて、基板２が化粧シート３の表面側に配置形成されていること、即ち図６の紙面上下方向において、基板２の裏面側に第２印刷層６、隠蔽層５、第１印刷層４を順に積層されてなることから、第１印刷層４については、基板２、第２印刷層６、隠蔽層５の厚さ分だけ、遊技者から離れる方向に第１表示部９を配置させることができる。また、第２印刷層６については、基板２の厚さ分だけ、遊技者から離れる方向に第２表示部１０を配置させることができる。それにより、第１印刷層４、第２印刷層６ともに上記の厚さ分だけ、奥行き感を有した立体的な絵柄表現をすることを可能にする。
【００４３】
以上において本考案の実施形態を説明したが本考案は、これに限定されるものではない。例えば、第１表示部９と第２表示部１０が相互に重複する状態で視認されるように、第１表示部９と第２表示部１０を配置形成してなる領域と、第１表示部９と第２表示部１０が相互に重複しない状態で視認されるように、第１表示部９と第２表示部１０を配置形成してなる領域のいずれも備える態様を本考案は包含する。
また、化粧シート３と基板２の間に本発明の趣旨を逸脱しない範囲において適宜任意の層を設けてもよい。
【符号の説明】
【００４４】
１,２１,３１,４１パチンコ遊技機用化粧板
２基板
３化粧シート
４第１印刷層
５隠蔽層
６第２印刷層
７貫通孔
８照明体
９第１表示部
１０第２表示部
【図１】
0003226480.tif 000003
【図２】
0003226480.tif 000004
【図３】
0003226480.tif 000005
【図４】
0003226480.tif 000006
【図５】
0003226480.tif 000007
【図６】
0003226480.tif 000008